(57)【要約】【課題】  集塵機から排出される粉塵排気濃度のさらなる低減を目的とした集塵機用のフィルタユニットにおいて、フィルタユニット内のフィルタのメンテナンスを容易にすることを目的とした集塵機用フィルタユニットの提供を目的とする。【解決手段】  集塵機の排気口に接続した集塵機用のフィルタユニットであって、中性能フィルタもしくは高性能フィルタより選ばれた１種類のフィルタと、フィルタを取り付けるためのフィルタ取付枠と、前記フィルタ取付枠を取り付けるための格子状のセルプレートとを内部に備える。【選択図】  図１
2015173998.tif 000002
【特許請求の範囲】
【請求項１】
集塵機の排気口に接続した集塵機用のフィルタユニットであって、
中性能フィルタもしくは高性能フィルタより選ばれた１種類のフィルタと、
フィルタを取り付けるためのフィルタ取付枠と、
前記フィルタ取付枠を取り付けるための格子状のセルプレートと、
を内部に備えたフィルタユニット。
【請求項２】
前記フィルタユニットの上部に排気ガス取込口が設けられ、前記セルプレートが前記フィルタユニットの床面より垂直に設けられた請求項１記載のフィルタユニット。
【請求項３】
前記セルプレートにより２つに仕切られた前記フィルタユニットの前記排気ガス取込口のあるフィルタユニット上流側と、排気ガス排出口があるフィルタユニット下流側にそれぞれ点検扉を備えた請求項１ないし２記載のフィルタユニット。
【発明の詳細な説明】
【技術分野】
【０００１】
本発明は、集塵機のフィルタユニットに関する。より詳しくは、集塵機の排気口に接続した集塵機用のフィルタユニットであって、フィルタユニット内部に粉塵の高効率除去が可能なフィルタを設けることにより、集塵機から排出される粉塵排気濃度を低減する。
【背景技術】
【０００２】
大気汚染防止や作業環境改善のために集塵機は用いられており、図１に示すように、粉塵の混在した混合ガスが集塵機を通過し、集塵機の有する除塵機構にて混合ガス中の粉塵を除塵した後、洗浄ガスを送風機にて系外へ排気している。しかしながら、一般的に高い除塵効率を有しているろ過式集塵機および電気式集塵機においても、除塵効率が８５％〜９９％となるため、粉塵が集塵機より数％排気されることとなる。フィルタを用いるろ過式集塵機の排気濃度は、型式により差があるが、０.０１〜０.０３ｇ／ｍ３N程度と言われている。この排気濃度は、日本国内おいて、大気汚染防止法の排気基準以下であり、短期的には問題とならない。しかし、微量ながら排気される粉塵は、長期的に問題となる場合がある。
【０００３】
排気濃度をより低減可能とするためには、集塵機より排気された粉塵を、さらに高効率除去が可能なフィルタを設けて除去することが考えられる。このような例は特許文献１に記載されているように、バグフィルタの出口にＨＥＰＡフィルタを備えた排ガス処理装置が提案されている。しかしながら、ＨＥＰＡフィルタはメンテナンスすることなく使用しているとやがて目詰まりを起こし、たびたび交換しなくてはならない問題が生じた。
【先行技術文献】
【特許文献】
【０００４】
【特許文献１】特開２０１０−２３０１９８号公報
【発明の概要】
【発明が解決しようとする課題】
【０００５】
本発明は、集塵機の排気口に接続した集塵機用のフィルタユニットにおいて、フィルタユニット内のフィルタのメンテナンスを容易にすることを目的としたフィルタユニットの提供を目的とする。
【課題を解決するための手段】
【０００６】
上記の目的を達成するために、本発明は、集塵機の排気口に接続した集塵機用のフィルタユニットであって、中性能フィルタもしくは高性能フィルタより選ばれた１種類のフィルタと、フィルタを取り付けるためのフィルタ取付枠と、フィルタ取付枠を取り付けるための格子状のセルプレートとを内部に備えたフィルタユニットであることを特徴としている。
【０００７】
このように構成された本発明においては、フィルタ取付枠に取り付けた複数のフィルタを格子状のセルプレートへ各々取り付けることができるため、万が一、１個のフィルタが破損しても、その破損したフィルタのみを取り替えればよく、部分補修が可能なメリットがある。また、フィルタのメンテナンス時等の取付け・交換時においてもフィルタの大きさをハンドリング可能な大きさにできるため、扱いが容易である。
【０００８】
本発明において、フィルタユニットは、フィルタユニットの上部に排気ガス取込口が設けられ、セルプレートがフィルタユニットの床面より垂直に設けられていることを特徴としている。
【０００９】
このように構成された本発明においては、集塵機から排出された排気ガスに万が一大きな異物が混入していたとしても、フィルタユニットの上部に排気ガス取込口が設けられており、フィルタはガス流が横方向に流れるようにセルプレートに取り付けられるため、ガス流は９０度向きを変えてフィルタに流れ込む。その際、大きな異物はフィルタに直接衝突しなくて済むため、フィルタに対するダメージを抑えることができる。
【００１０】
本発明において、フィルタユニットは、セルプレートにより２つに仕切られたフィルタユニットの排気ガス取込口のあるフィルタユニット上流側と、排気ガス排出口があるフィルタユニット下流側にそれぞれ点検扉を備えている。
【００１１】
このように構成された本発明においては、容易にフィルタユニット内に出入りすることができ、フィルタの点検交換を容易に行うことができる。
【発明の効果】
【００１２】
本発明の集塵機用フィルタユニットによれば、フィルタユニット内のフィルタへのダメージを少なくすることができ、メンテナンスを容易にすることが可能となる。
【図面の簡単な説明】
【００１３】
【図１】本発明におけるフィルタユニットを備えた集塵システムの概略図である。
【図２】本発明におけるフィルタユニットの正面図である。
【図３】図２にかかわるＡ−Ａ断面図である。
【図４】本発明におけるフィルタユニットの平面図である。
【図５】本発明におけるフィルタユニット内のフィルタの取付け状態を示す分解図である。
【発明を実施するための形態】
【００１４】
図１に示すように、本発明のフィルタユニットを用いた集塵システムは、吸引フード４により粉塵の混在した混合ガスを吸引し、集塵機１により固気分離が行われる。分離後の若干の粉塵を含んだ排気ガスは集塵機１の排気口よりダクトに接続されたフィルタユニット２に取り込まれる。このフィルタユニット内にはフィルタ２７が備えられているため、若干の粉塵を含んだ排気ガスはここでさらに固気分離が行われ、清浄された排気ガスが送風機３を通り、排気ダクト５より大気へ排出される。
【００１５】
フィルタユニットについて、図２〜図５により説明する。フィルタユニット２は、その外形は箱状で、集塵機により固気分離された排気ガスは、ダクトを通じてフィルタユニット２の上面の導入口２２より導入される。フィルタユニット内部には、フィルタ２７と、フィルタ２７を取り付けるためのフィルタ取付枠２６と、フィルタ取付枠を取り付けるための格子状のセルプレート２５とが設けられており、排気ガスはフィルタ２７により再度、固気分離され、フィルタユニット２の側面に設けられた排気口２３により排出される。
フィルタユニット２はセルプレート２５により、導入口２２が設けられた上流側と、排気口２３が設けられた下流側とに分けられ、上流側壁面には上流側点検扉２１ａが、下流側壁面には下流側点検扉２１ｂが設けられている。
【００１６】
フィルタ２７のフィルタユニット２への取付けは、フィルタ取付枠２６をセルプレート２５のセル内にネジにより固定し、その後、フィルタ２７をフィルタ取付枠２６内に挿入する。フィルタ取付枠２６には図示しないシールパッキンがはめ込んであり、シールパッキンとフィルタ２７が密着しシール性が保たれ、フィルタ枠に取り付けられたバネクランプにより、フィルタ２７をフィルタ取付枠２６内に固定する。
【００１７】
フィルタ２７は、中性能フィルタもしくは高性能フィルタより選ばれた１種類のフィルタを用いる。本発明のフィルタユニットに用いる中性能フィルタは捕集効率が比色法にて９５％以上のものを指す。高性能エアフィルタは、ＨＥＰＡフィルタ（High  Efficiency  Particulate  Air  Filter）、もしくは、ＵＬＰＡフィルタ（Ultra  Low  Penetration  Air  Filter）と呼ばれ、ＨＥＰＡフィルタは、ＪＩＳ  Ｚ８１２２によって、「定格風量において０．３μｍの粒子の捕集効率が９９．９７％以上で、かつ初期圧力損失が２４５Ｐａ以下の性能を有するエアフィルタ」と規定されているフィルタである。また、ＵＬＰＡフィルタは、同じくＪＩＳ  Ｚ８１２２によって、「定格風量で粒径が０．１５μｍの粒子に対して９９．９９９５％以上の粒子捕集率をもち、かつ初期圧力損失が２４５Ｐａ以下の性能を持つエアフィルタ」と規定されているフィルタである。これらのフィルタを設置することにより、排気濃度を０.００５ｇ／ｍ３N程度に低減することが可能となり、より清浄な空気を排気できる効果がある。
【００１８】
セルプレート２５は、鋼板を格子状に加工して得られ、フィルタユニット２内の中央の床板よりフィルタユニットを二分する状態で垂直に設けられ、フィルタユニット筐体に接する面は全て溶接にて固定されている。また、フィルタ取付枠２６は、セルプレート２５の格子の空間に隙間なく嵌る大きさの直方体の筒形状である。
【符号の説明】
【００１９】
１    集塵機
２    フィルタユニット
３    送風機
４    集塵フード
５    排気ダクト
２１ａ  上流側点検扉
２１ｂ  下流側点検扉
２２    導入口
２３    排気口
２４    マノメータ
２５    セルプレート
２６    フィルタ取付枠
２７    フィルタ
【図１】
2015173998.tif 000003
【図２】
2015173998.tif 000004
【図３】
2015173998.tif 000005
【図４】
2015173998.tif 000006
【図５】
2015173998.tif 000007